(57)【要約】【課題】  風呂敷を衣服のほこり防止用としたり、手提袋として使用したりすることができる多用途風呂敷の提供を目的とする。【解決手段】  方形の布状物よりなる風呂敷の中心及び風呂敷内の円周上で、かつ放射状に複数のボタン穴を形成した。  このボタン穴に衣服を装着したハンガーの吊下を貫通させると、衣服を覆うほこり防止用として使用できる。  また、円周上の挿通口に、紐体が風呂敷の表裏面を出没するように輪形に取付けると共に、この紐体を引き絞ると風呂敷の円周内に収容させた品物を、小袋内に収容させた手提袋として使用できる。【選択図】図３
2009298472.tif 000002
【特許請求の範囲】
【請求項１】
方形の布状物よりなる風呂敷本体と、
この風呂敷本体の対角線上、あるいは前記風呂敷本体の中心線上に設けられ、少なくともその１つは前記風呂敷本体の中心に位置すると共に、ボタン穴状に形成して紐体を通すことを可能にした挿通口とからなる多用途風呂敷。
【請求項２】
方形の布状物よりなる風呂敷本体と、
この風呂敷本体の中心から一定の距離を有する円周上で放射状に設けると共に、ボタン穴状に形成して紐体を通すことを可能にした複数の挿通口とからなる多用途風呂敷。
【発明の詳細な説明】
【技術分野】
【０００１】  本発明は、小さく折畳んで持運びが容易にできる風呂敷を用いて、更なる有効活用ができるように改善した多用途風呂敷に関する。
【背景技術】
【０００２】  風呂敷に他の機能を持たせた従来例としては、方形の布地の外周囲に紐を移動可能な状態で配設し、各角部からその紐の一部を突出させて、その紐の引出しを可能とした多用途風呂敷がある。
この風呂敷の中心部に収納物を入れて、突出した角部の紐を引出すと、方形の風呂敷が袋状になるものである。（例えば特許文献１参照）
また、円形の平面部材地１に、円形状に複数の孔２を設けると共に、その孔に締め紐３を引出し可能な状態で取付けた簡易包装体がある。
このような簡易包装体も前述例と同様に、収容物を入れると共に紐を引出すことで、袋状に形成できるものである。（例えば特許文献２参照）
【特許文献１】  特開２００２−１１４２６２号公報（第２頁、図１）
【特許文献２】  実用新案登録第３００１７０５号公報（第６頁、図１）
【発明の開示】
【発明が解決しようとする課題】
【０００３】  特許文献１に示す多用途に使える風呂敷は、風呂敷の外周囲に紐を内在し、かつ各角部では紐を突出させているために、風呂敷として使用するには、紐が邪魔になって各角部で結ぶことが困難であり、折畳んで使用するには、同様に紐が邪魔になるという欠点があった。
特許文献２に示す簡易包装体は、風呂敷を利用したものではないために、結束する角部もなく風呂敷として使用することができなかった。
また、カバーや袋を形成するために、紐通し用の孔を設けているが、この孔は丸孔であるために、紐を取外すと孔の存在が明確になって不自然であり、包装体として活用するより、他に用いることができないという欠点があった。
本発明は、このような欠点を解消するためになされたものであり、紐を取外した状態でも風呂敷や衣服のほこり防止用として、更に手提袋としても使用できる多用途風呂敷の提供を目的とする。
【発明を解決するための手段】
【０００４】  上記不具合を解消するために、本発明は次のような構成としている。
請求項１に記載した多用途風呂敷は、方形の布状物よりなる風呂敷本体の対角線上、あるいは中心線上に設けられ、少なくともそのうちの１つは、前記風呂敷本体の中心に位置すると共に、ボタン穴状に形成して、紐体を通すことを可能とした挿通口を設けることで、多用途風呂敷とした。
このような多用途風呂敷によれば、ボタン穴状に形成した挿通口に、衣類を取付けたハンガーの吊下部を挿通して、衣服をほこりから守ることが可能である。
請求項２に記載した多用途風呂敷は、請求項１に記載した多用途風呂敷の中心から一定の距離を有する円周上で、かつ、ボタン穴状に形成して放射状に配設した複数の挿通口を設けることで、多用途風呂敷とした。
円周上に設けた複数の挿通口に、円形状に紐を通してこの紐を引出すと、風呂敷本体が袋状になって手提袋として使用できる。
ボタン穴に形成して放射状に配設した紐体挿通口は紐が通し易く、風呂敷としても使用できる。
【発明の効果】
【０００５】  本発明によれば、風呂敷本体にボタン穴状に形成した挿通口を設けたことにより、以下の効果を得ることができた。
すなわち、風呂敷としての使用はもちろんのこと、新たな機能を持たせた複数の使用例で、風呂敷を更に有効活用することが可能となった。
ハンガーに支持した衣類に対して、複数の取付方ができるので、衣類の吊下げ状况に対応したほこり付着の防止ができるようになった。
手提袋として使用するための挿通口は、ボタン穴状のスリットなので、紐体を取外すと開口の無い一般的な風呂敷と同様であり、何の支障も無く風呂敷として使用することができる。
しかも、風呂敷の中心に挿通口を設けると、風呂敷の中心標示ともなるので、収容物を包む場合の置き位置がわかり易い。
風呂敷の中心から一定の距離を持つ円周上に、挿通口を放射状に配置した理由で、スリット状のボタン穴は互いに逆方向に湾曲して開口するから、紐体の挿通作業が容易である等の効果を得ることができた。
【発明を実施するための最良の形態】
【０００６】  本発明について、図面を参照して説明する。図１は本発明の多用途風呂敷を示す説明図、図２は図１で示す挿通口の説明図である。
図１で示すように、本発明の多用途風呂敷１０は、方形の布状物よりなる風呂敷本体１２と、この風呂敷本体に設けたボタン穴状の複数の挿通口１４とからなる。このような風呂敷本体１２と挿通口１４とについて、更に詳細に説明する。
風呂敷本体１２は方形であるから、それぞれの角部同士を結束することが可能で、一般的な風呂敷と同様のものである。
挿通口１４は、風呂敷本体１２の中心Ｏに１個所設けると共に、他の挿通口１４は、この中心Ｏから一定の間隔を持った円形状に、かつ、互いに等間隔で放射状に配置している。
すなわち、円形に配置したスリット状の挿通口１４は、その一端が中心方向に向って設けているものであり、図１で示す例では、８個の挿通口１４を円形に設けることで、互いに対向する角方向と、方形の中心線上に対向させて設けたものである。
風呂敷本体１２の中心Ｏに設けた挿通口１４も、他の挿通口のどれかと同一方向に一致させて設けている。
挿通口１４は、紐体を通したり、ハンガー頂部に設けた吊下げ部分を貫通させたりするものであり、図２で示すように、ボタンを掛けるために設けたスリット状のボタン穴と同様に形成している。
ボタン穴は、ボタンを掛ける際には、その中央部が図中の矢印で示す両側に離間して、円弧状に開口するが、通常はその両側が互いに接合して、開口が見えない状態に形成されているものである。【０００７】  このように構成した多用途風呂敷１０の使用例について、図面を参照して説明する。図３は図１で示した多用途風呂敷の各使用例を示す説明図である。
多用途風呂敷１０の使用例として、ハンガーに掛けた衣類の埃を防止する例について説明する。図１で示した中心Ｏに設けた挿通口１４を用いて、埃の付着を防止するには、図３の（イ）で示すように、図示しないハンガーに支持させた衣類５に対して、ハンガーの頂部に設けられた吊下８を挿通口１４に通して、図示の如く多用途風呂敷を装着する。
すなわち、布状本体１２の中心Ｏに設けた挿通口１４を利用すると、衣類５の前後に略均等に布状本体１２が垂れ下った（イ）の状態になる。
また図１のＡで示したように、方形の布状本体１２の中心線上に設けた挿通口１４をハンガーの吊下８に通すと、図３の（ロ）で示すように、主として衣類の前又は後のどちらかの一方を覆うことができる。
更に図１のＢで示したように、布状本体１２の対角線上に設けた挿通口１４を、ハンガーの吊下８に通すと、図３の（ハ）で示すように衣類のどちらか一方の面を覆うことができる。
図３の（ロ）又は（ハ）で示す使用例は、衣類のどちらか一方の面を覆うものであるから、壁面や鴨居などにハンガーを吊下げて、露出した衣類の一方の面を覆う場合に使用するものである。
図３の（ロ）又は（ハ）で示す例は、その装着後の下端側が異なっており、室内の雰囲気や自分の好み等に合わせたりして、選択使用ができるものである。
尚、図３で示した多用途風呂敷１０の使用において、図１で示した挿通口１４は、図中で示すＯ、Ａ、Ｂの３点があれば足りるが、ＡとＢとの挿通口１４は放射状で複数の位置に設けられているので、都合の良い位置を適当に使用すれば良い。【０００８】  多用途風呂敷１０の他の使用例について、図面を参照して説明する。図４は本発明の他の例の多用途風呂敷を示す説明図、図５は図４の紐体を破断して示す説明図である。
手提袋として使用する多用途風呂敷式２０は、図４で示すように多用途風呂敷１０の円周状に設けた挿通口１４に紐体２２を取付ける。
紐体２２は複数の挿通口１４を介して、図示の如く布状本体１２の表裏面を交互に出没させて、輪状に取付けるものであり、この紐体２２について、更に詳細に説明する。
紐体２２の長さは、布状本体１２に設けた挿通口１４が形成する円周と同じ長さの紐状物よりなり、図５で示すように、その両端には輪状に形成したり、元の紐状に戻したりすることができるように、一対のフック２３よりなる着脱手段２４を設けている。
図５で示すフック２３は、どちらか一方のフック２３で、他方のフック２３を図中の矢印方向に押圧すると、舌片２５が押されて開口することにより、両者が掛止する例である。
この着脱手段２４は、両者を押圧して弾性片が掛止できるような、市販品であれば良い。
このような紐体２２を、前述したように挿通口１４に取付けて、着脱手段２４により輪状に配置させたものである。この紐体２２は、挿通口１４内を移動可能に取付けることはもちろんである。【０００９】  このように構成した多用途風呂敷２０の使用例について、図面を参照して説明する。図６は図４の使用説明図、図７は図６から手提袋に変化した状態を示す説明図である。
多用途風呂敷２０は、各種の品を収容した手提袋として使用するが、その代表例について説明する。
スーパー等の商店では、客が必要な品を備え付けの籠に入れて、レジスターを操作する店員に代金を払う仕組みである。
この場合には、客の購入した品を入れた籠と、レジスターを通した後の商品を入れる籠とは別のものであり、この代金を支払った商品を入れた籠を、レジスターとは別の場所に移動したあとで、レジ袋と言われるビニール袋や持参のバッグなどに、移し代えてから持ち帰る必要があった。
このような例では、店員がレジスターを通した後の商品を入れる籠を、その都度用意する必要があるし、客も商品の入った重い籠を移動すると共に、レジ袋に移し代えた後の空になった籠を、指定された場所に返却しなければならないという欠点があった。
空になった籠を指定された場所へ戻さない客もいて、後から来る客に迷惑をかけたりする欠点もあった。【００１０】  本発明の多用途風呂敷２０によれば、レジスターを通した商品を入れる籠８に、図６で示すように広げた状態で多用途風呂敷２０を被せておくと、籠８内に入れた商品は多用途風呂敷２０の中に入った状態になる。このような状態で、挿通口１４を通した紐体２２のうち対向する２個所を、図中の矢印で示す方向に引出すと、紐体が形成する輪形が小さくなって、商品は多用途風呂敷２０内に包まれた状態になる。
この状態で紐体２２を引き上げると、図６で示すように手提袋３０に変身した状態になる。紐体２２を結束するか、あるいは肩に掛けた状態で持ち帰ることができる。
従って、本発明の多用途風呂敷２０によれば、レジスターを通した商品はそのまますぐに持ち帰れるから、客は空の籠８を指定された場所に返却する必要がなくなる。しかも、残った空の籠は次の客がレジスターを通った後の商品を入れる籠として、使用することができるものである。
客や店員に無駄な動きをさせることなく、エコバッグとして使用すれば、風呂敷は折り畳めるので小さくして持ち運び易く専用のエコバッグも不要である。【００１１】  他の手提袋の形成方としては、布状本体１２の４つの角部に設けた挿通口のうち、互いに対向するどちらか一方の挿通口付近に、他方の挿通口に掛止させるボタンを取付け掛止させることで、ボタンを結合した手提袋として使用することができる。
このような例では、紐体２２を用いることのない手提袋として、使用することが可能である。
また、布状本体１２内の大小二種類の円周上で、前述例と同様な挿通口を形成すると共に、この大小の円周に合せた長さの紐体を取付けて、収容物の量によって紐体を使い分けることも可能である。
更に手提袋として使用する場合に、布状本体１２の各角部の意匠や色彩を変えることで、洒落た手提袋に変身させて、使用することもできるものである。
【図面の簡単な説明】
【００１２】
【図１】    本発明の多用途風呂敷を示す説明図である。
【図２】    図１で示す挿通口の説明図である。
【図３】    図１の各使用例を示す説明図である。
【図４】    本発明の他の例の多用途風呂敷を示す説明図である。
【図５】    図４の紐体を破断して示す説明図である。
【図６】    図４の使用例を示す説明図である。
【図７】    図６から手提袋に変化した状態を示す説明図である。
【符号の説明】
【００１３】１０  多用途風呂敷
１２  布状本体
１４  挿通口
２０  多用途風呂敷
２２  紐体
２３  フック
２４  着脱手段
【図１】
2009298472.tif 000003
【図２】
2009298472.tif 000004
【図３】
2009298472.tif 000005
【図４】
2009298472.tif 000006
【図５】
2009298472.tif 000007
【図６】
2009298472.tif 000008
【図７】
2009298472.tif 000009